【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】  商用電源を直流に変換する整流回路と、この直流電圧から所定の電圧を生成して出力する出力電圧安定化回路と、該出力電圧安定化回路の出力電圧を交流に変換して一定の電力を生成し負荷回路に供給するインバータ回路とを有する放電灯点灯装置であって、
前記整流回路の直流電圧を検出し、この直流電圧が低下したときに検出電圧に基づく信号を出力する電源電圧低下検出手段と、
該電源電圧低下検出手段からの信号に基づいて負荷回路の電力が下がるように前記インバータ回路を制御する出力制御手段と、
前記出力電圧安定化回路の出力電圧を検出し、この出力電圧が所定値以下になったときに出力異常信号を出力する出力異常検出手段とを備え、
前記出力制御手段は、前記出力異常検出手段からの出力異常信号を検知したとき、本装置の機種に応じて負荷回路の電力が下がるように前記インバータ回路を制御することを特徴とする放電灯点灯装置。
【請求項２】  商用電源を直流に変換する整流回路と、この直流電圧から所定の電圧を生成して出力する出力電圧安定化回路と、該出力電圧安定化回路の出力電圧を交流に変換して一定の電力を生成し負荷回路に供給するインバータ回路とを有する放電灯点灯装置であって、
前記整流回路の直流電圧を検出し、この直流電圧が低下したときに検出電圧に基づく信号を出力する電源電圧低下検出手段と、
該電源電圧低下検出手段からの信号に基づいて負荷回路の電力が下がるように前記インバータ回路を制御する出力制御手段と、
前記出力電圧安定化回路の出力電圧を検出し、この出力電圧が所定値以下になったときに出力異常信号を出力する出力異常検出手段とを備え、
前記出力制御手段は、前記出力異常検出手段からの出力異常信号を検知したとき、インバータ回路の動作を停止することを特徴とする放電灯点灯装置。
【請求項３】  前記電源電圧低下検出手段は、予め商用電源の電圧より低い電圧値が設定され、前記直流電圧がその電圧値より低くなったときに検出電圧に基づく信号を前記出力制御手段に出力することを特徴とする請求項１又は２記載の放電灯点灯装置。
【請求項４】  商用電源を直流に変換する整流回路と、この直流電圧から所定の電圧を生成して出力する出力電圧安定化回路と、該出力電圧安定化回路の出力電圧を交流に変換して一定の電力を生成し負荷回路に供給するインバータ回路とを有する放電灯点灯装置であって、
前記整流回路の直流電流を前記出力電圧安定化回路を通じて検出し、この検出電流が所定の電流値よりも増加したときその検出電流に基づく信号を出力する電源電流増加検出手段と、
該電源電流増加検出手段からの信号に基づいて負荷回路の電力が低下するように前記インバータ回路を制御する出力制御手段と
を備えたことを特徴とする放電灯点灯装置。
【請求項５】  商用電源を直流に変換する整流回路と、この直流電圧から所定の電圧を生成して出力する出力電圧安定化回路と、該出力電圧安定化回路の出力電圧を交流に変換して一定の電力を生成し負荷回路に供給するインバータ回路とを有する放電灯点灯装置であって、
予め商用電源の電圧より低い電圧値が設定され、前記出力電圧安定化回路が前記整流回路の直流電圧から生成した制御用の電圧を検出し、この検出電圧が前記電圧値より低くなったときその検出電圧に基づいて負荷回路の電力が低下するように前記インバータ回路を制御する出力制御手段
を備えたことを特徴とする放電灯点灯装置。
【手続補正２】
【補正対象書類名】明細書
【補正対象項目名】０００５
【補正方法】変更
【補正の内容】
【０００５】
【課題を解決するための手段】
（１）本発明に係る放電灯点灯装置は、商用電源を直流に変換する整流回路と、この直流電圧から所定の電圧を生成して出力する出力電圧安定化回路と、出力電圧安定化回路の出力電圧を交流に変換して一定の電力を生成し負荷回路に供給するインバータ回路とを有する放電灯点灯装置であって、整流回路の直流電圧を検出し、この直流電圧が低下したときに検出電圧に基づく信号を出力する電源電圧低下検出手段と、電源電圧低下検出手段からの信号に基づいて負荷回路の電力が下がるようにインバータ回路を制御する出力制御手段と、出力電圧安定化回路の出力電圧を検出し、この出力電圧が所定値以下になったときに出力異常信号を出力する出力異常検出手段とを備え、出力制御手段は、出力異常検出手段からの出力異常信号を検知したとき、本装置の機種に応じて負荷回路の電力が下がるように前記インバータ回路を制御する。
【手続補正３】
【補正対象書類名】明細書
【補正対象項目名】０００６
【補正方法】変更
【補正の内容】
【０００６】
（２）本発明に係る放電灯点灯装置は、商用電源を直流に変換する整流回路と、この直流電圧から所定の電圧を生成して出力する出力電圧安定化回路と、出力電圧安定化回路の出力電圧を交流に変換して一定の電力を生成し負荷回路に供給するインバータ回路とを有する放電灯点灯装置であって、整流回路の直流電圧を検出し、この直流電圧が低下したときに検出電圧に基づく信号を出力する電源電圧低下検出手段と、電源電圧低下検出手段からの信号に基づいて負荷回路の電力が下がるようにインバータ回路を制御する出力制御手段と、出力電圧安定化回路の出力電圧を検出し、この出力電圧が所定値以下になったときに出力異常信号を出力する出力異常検出手段とを備え、出力制御手段は、出力異常検出手段からの出力異常信号を検知したとき、インバータ回路の動作を停止する。
【手続補正４】
【補正対象書類名】明細書
【補正対象項目名】０００７
【補正方法】変更
【補正の内容】
【０００７】
（３）本発明に係る放電灯点灯装置は、前記（１）又は（２）の何れかにおいて、電源電圧低下検出手段は、予め商用電源の電圧より低い電圧値が設定され、直流電圧がその電圧値より低くなったときに検出電圧に基づく信号を出力制御手段に出力する。
【手続補正５】
【補正対象書類名】明細書
【補正対象項目名】０００８
【補正方法】変更
【補正の内容】
【０００８】
（４）本発明に係る放電灯点灯装置は、商用電源を直流に変換する整流回路と、この直流電圧から所定の電圧を生成して出力する出力電圧安定化回路と、出力電圧安定化回路の出力電圧を交流に変換して一定の電力を生成し負荷回路に供給するインバータ回路とを有する放電灯点灯装置であって、整流回路の直流電流を出力電圧安定化回路を通じて検出し、この検出電流が所定の電流値よりも増加したときその検出電流に基づく信号を出力する電源電流増加検出手段と、電源電流増加検出手段からの信号に基づいて負荷回路の電力が低下するようにインバータ回路を制御する出力制御手段とを備えたものである。
【手続補正６】
【補正対象書類名】明細書
【補正対象項目名】０００９
【補正方法】変更
【補正の内容】
【０００９】
（５）本発明に係る放電灯点灯装置は、商用電源を直流に変換する整流回路と、この直流電圧から所定の電圧を生成して出力する出力電圧安定化回路と、出力電圧安定化回路の出力電圧を交流に変換して一定の電力を生成し負荷回路に供給するインバータ回路とを有する放電灯点灯装置であって、予め商用電源の電圧より低い電圧値が設定され、出力電圧安定化回路が整流回路の直流電圧から生成した制御用の電圧を検出し、この検出電圧が電圧値より低くなったときその検出電圧に基づいて負荷回路の電力が低下するようにインバータ回路を制御する出力制御手段を備えたものである。
【手続補正７】
【補正対象書類名】明細書
【補正対象項目名】００１０
【補正方法】削除
【補正の内容】
【手続補正８】
【補正対象書類名】明細書
【補正対象項目名】００３１
【補正方法】変更
【補正の内容】
【００３１】
【発明の効果】
本発明の請求項１の発明によれば、電源側の直流電圧が低下したとき負荷回路の電力がその直流電圧の低下に基づいて下がるようにしたので、商用電源の電圧低下による電源電流の上昇を抑えることができ、このため、整流回路と出力電圧安定化回路に用いられている各素子の異常発熱を抑えることが可能になり、各素子の破壊を防止できる。
また、出力電圧安定化回路の出力電圧が所定値以下になったとき、本装置の機種に応じて負荷回路の電力が下がるようインバータ回路を制御するようにしたので、出力電圧安定化回路やインバータ回路を破損させることなく動作させることができる。
【手続補正９】
【補正対象書類名】明細書
【補正対象項目名】００３２
【補正方法】変更
【補正の内容】
【００３２】
本発明の請求項２の発明によれば、出力電圧安定化回路の出力電圧が所定値以下になったとき、インバータ回路の動作を停止するようにしたので、直流電圧の下がりすぎによる電源電流の上昇を抑えることができ、このため、整流回路と出力電圧安定化回路の各素子の異常発熱を抑えることができるという効果がある。
【手続補正１０】
【補正対象書類名】明細書
【補正対象項目名】００３３
【補正方法】変更
【補正の内容】
【００３３】
本発明の請求項３の発明によれば、電源側の直流電圧が予め設定された商用電源の電圧より低い電圧値よりも下がったとき負荷回路の電力がその直流電圧の低下に基づいて下がるようにしたので、負荷変動で電圧低下が頻繁に起こる工事現場に本装置を支障なく適用でき、また、整流回路と出力電圧安定化回路の各素子の異常発熱を抑えることができるという効果がある。
【手続補正１１】
【補正対象書類名】明細書
【補正対象項目名】００３４
【補正方法】変更
【補正の内容】
【００３４】
本発明の請求項４の発明によれば、商用電源の電圧低下を出力電圧安定化回路に流れる電流から検出するようにしたので、商用電源の電圧以上の高い電圧を検出する必要がなくなり、電源電流増加検出手段の構成を簡素化できるという効果がある。
【手続補正１２】
【補正対象書類名】明細書
【補正対象項目名】００３５
【補正方法】変更
【補正の内容】
【００３５】
本発明の請求項５の発明によれば、出力電圧安定化回路が整流回路の直流電圧から生成した制御用の電圧が、予め設定された商用電源の電圧より低い電圧値よりも下がったとき、その制御用の電圧に基づいて負荷回路の電力が低下するようインバータ回路を制御するようにしたので、電源電圧低下検出回路を用いることなく商用電源の低下に応じて負荷回路の電力を下げることが可能になり、本装置の回路構成を簡素化できる。
【手続補正１３】
【補正対象書類名】明細書
【補正対象項目名】００３６
【補正方法】削除
【補正の内容】